(57)【特許請求の範囲】
【請求項１】
フラットケーブルを仮止めするケーブルカバーと、相手方のコネクタのコンタクトがコンタクト後端部に接続される共にコンタクト先端部に前記フラットケーブルが圧接されるコンタクトを有して前記ケーブルカバーと合体する絶縁ハウジングとからなるコネクタにおいて、
前記絶縁ハウジングの中空内部に装着され圧接方向である上下方向に移動自在なスペーサが設けられており、前記スペーサには、
当該スペーサの左右壁面から下側に傾斜されて延設されたもので、前記絶縁ハウジングにこのスペーサを仮止めした状態で、絶縁ハウジングの底面から該スペーサが浮き上がった状態となり前記フラットケーブルを前記ケーブルカバーの内面側に弾発力で付勢してガタつきなく保持する弾性脚部が設けられていること、
を特徴とするコネクタ。
【発明の詳細な説明】
【０００１】
【発明の属する技術分野】
本発明は、コネクタに係り、更に詳しくは、例えば電気若しくは電気信号を伝達するフラットケーブルの幹線から支線を分岐させる分岐用、かつ、圧接用のコネクタに関する。
【０００２】
【従来の技術】
従来、ケーブルを一時仮止めし、該ケーブルを圧接するコネクタにおいて、例えば、フラットケーブルの幹線から支線にコネクタを介して電気的に分岐させる場合、図２３乃至図２４に示すように、例えば、４芯のフラットケーブル１の途中に、合成樹脂製のケーブルカバー２を仮止めする。
【０００３】
このケーブルカバー２によるフラットケーブル１の仮止めは、図２５に示すように、仮止め部２ａにおいて、開閉自在な蓋２ｃがヒンジを介して設けられおり、フラットケーブル１をケーブルカバー２の仮止め部２ａに載せてセットする工程▲１▼と、続いて前記蓋２ｃを手で回転させて閉じ、その先端部を係止部２ｄに係止させる工程▲２▼と、の２工程からなる。
【０００４】
そして、支線用のフラットケーブル３を予め装着してある絶縁ハウジング４を、図２４に示すように、前記フラットケーブル１を仮止めしたケーブルカバー２に圧接ペンチ等で圧接する。
【０００５】
前記絶縁ハウジング４側には、雌コンタクトが配設され、その雌コンタクトの片側先端部が前記幹線用のフラットケーブル１の外皮を切断して食い込み、当該フラットケーブル１の芯線を弾性的に挟装する。これにより、前記支線用のフラットケーブル３と幹線用のフラットケーブル１との電気的接続がなされる。
【０００６】
こうして、図２３に示すように、幹線用のフラットケーブル１に、ケーブルカバー２と絶縁ハウジング４からなる分岐用コネクタ５を複数個設けてフラットケーブル３を圧接することで、当該支線用のフラットケーブル３の各々に、例えば、ブースター，近接センサ，リミットスイッチ，フォトセンサ等を設けることができるものである。
【０００７】
【発明が解決しようとする課題】
しかしながら、前記フラットケーブル１を分岐用コネクタ５のケーブルカバー２に仮止めする作業工程が２工程であり、かつ、前記蓋２ｃを係止部２ｄに係止させるには幹線用フラットケーブル１が簡単にスライドしないように、ある程度の摩擦力が生じるように押し込む力が必要であり、これを繰り返すのは作業者にとってかなりの負担となっていた。
【０００８】
更に、分岐用コネクタ５において、ケーブルカバー２と絶縁ハウジング４とを合体させる際に、これらを一旦仮止めするのであるが、その仮止め状態においてフラットケーブル１がガタついて好ましくないものであった。
【０００９】
このように、従来のコネクタは、仮止め作業と仮止め状態のフラットケーブルにおいて解決すべき課題を有していた。
【００１０】
【課題を解決するための手段】
本発明に係るコネクタの上記課題を解決するための要旨は、フラットケーブルを仮止めするケーブルカバーと、相手方のコネクタのコンタクトがコンタクト後端部に接続される共にコンタクト先端部に前記フラットケーブルが圧接されるコンタクトを有して前記ケーブルカバーと合体する絶縁ハウジングとからなるコネクタにおいて、前記絶縁ハウジングの中空内部に装着され圧接方向である上下方向に移動自在なスペーサが設けられており、前記スペーサには、当該スペーサの左右壁面から下側に傾斜されて延設されたもので、前記絶縁ハウジングにこのスペーサを仮止めした状態で、絶縁ハウジングの底面から該スペーサが浮き上がった状態となり前記フラットケーブルを前記ケーブルカバーの内面側に弾発力で付勢してガタつきなく保持する弾性脚部が設けられていることである。
【００１３】
本発明に係るコネクタによれば、コネクタにおけるケーブルカバーにフラットケーブルを仮止めする作業工程が、弾性的に係止する係止突起に対して該フラットケーブルを押し込めると言う１工程だけになる。
また、前記コネクタにおける、フラットケーブルを仮止めしたケーブルカバーと、絶縁ハウジングとを仮止めした際に、前記フラットケーブルが絶縁ハウジング側に圧接方向である上下方向に移動自在にして設けられたスペーサによりケーブルカバーの内壁面に付勢されてガタ付きが防止される。
【００１４】
【発明の実施の形態】
次に、本発明に係るコネクタの実施形態について図面を参照して詳細に説明する。なお、理解容易のため従来例に対応する部分には同一符号を付けて説明する。
【００１５】
本発明に係るコネクタを、例えば、幹線用のフラットケーブルから支線用のフラットケーブルへ電気的に分岐させる分岐用コネクタを例にとって説明する。
【００１６】
分岐用コネクタ５ａの第１実施例は、図１乃至図４に示すように、例えば、４芯の幹線用フラットケーブル１を仮止めする合成樹脂製のケーブルカバー６において、幹線用のフラットケーブル１との当接面の一部に、該フラットケーブル１の側部を弾性的に係止する係止突起７を設ける。
【００１７】
前記係止突起７は、ケーブルカバー６の内面側に４箇所で、幹線用フラットケーブル１の幅に対応して対向配置にされている。また、その高さも前記フラットケーブル１の高さに対応して少し低くして、当該係止突起７の先端部がフラットケーブル１の丸い外周面に当接して押さえ込むようにされている。
【００１８】
よって、図１に示すように、前記ケーブルカバー６に幹線用のフラットケーブル１を仮止めするには、該フラットケーブル１をケーブルカバー６の内壁面に向けて押し込むだけで良い。
【００１９】
そして、ケーブルカバー６の両側面には、後述の絶縁ハウジング８と係合して仮止め及び固定するための係合部６ａが延設されている。
【００２０】
更に、ケーブルカバー６の内壁面には、フラットケーブル１が当接したときに隙間無くフィットするように、４芯フラットケーブル１の外面形状に合わせた半円台座６ｂが形成されている。
【００２１】
次に、分岐用コネクタ５ａにおける合成樹脂製の絶縁ハウジング８には、図５乃至図９に示すように、その外壁面８ａ，８ｂ（紙面に直交する方向）に前記ケーブルカバー６を仮止めする仮止め突起１０と、該ケーブルカバー６を固定する突起１１，１１とが設けられている。
【００２２】
また、前記外壁面８ａ，８ｂの反対側の内壁面８ｃ，８ｄには、図７と図８に示すように、図において上下方向に凹溝が設けられ、この凹溝が後述のスペーサ１３の上下方向のスライドをガイドするガイド溝１２，１４であって、各々対向配置で設けられている。
【００２３】
そして、図６乃至図８に示すように、絶縁ハウジング８の後端部から雄コンタクト部１５が、コンタクトピン用の貫通孔１５ａ（４箇所）と相手側コンタクト部と係合して係止させる係合突起１５ｂを有して、略四角形状にして延設されている。
【００２４】
前記コンタクト部１５の各貫通孔１５ａには、図１０乃至図１１に示すように、Ｌ字型に屈曲された雌コンタクト９が各々挿入されて固定される。
【００２５】
前記雌コンタクト９は、後端部９ａが二股状になっていて相手側の雄コンタクトを弾性的に挟装して導通を図り、先端部９ｂも二股状になっていて幹線用のフラットケーブル１に圧接されその芯線と導通を図るものである。
【００２６】
また、雌コンタクト９の長手方向における中央部には、前記貫通孔１５ａに該雌コンタクト９を挿入する際の案内役となるガイド片９ｃが設けられている。なお、この雌コンタクトは、後端部を先端部に対して略９０゜屈曲させる位置が異なる２種類の雌コンタクト９，９ｄが用意される。
【００２７】
次に、絶縁ハウジング８の中央部と先端部は、図６乃至図８に示すように、内壁面８ｃ，８ｄを形成する両側壁と底部があるのみで、内部が中空となっていて全面開口している。
【００２８】
この絶縁ハウジング８の中空内部に装着される合成樹脂製のスペーサ１３は、図１２乃至図１６に示すように、該スペーサ１３の上部にフラットケーブル１用の半円台座１６が設けられ、その両側にフラットケーブル１に対する幅規制用の突起１７が上方に突設されている。
【００２９】
そして、図１２において、左右両側壁面の外側に、絶縁ハウジング８に仮止めするための仮止め突起１８と、ロック用突起１９が各々突設されている。
【００３０】
また、図１３において、スペーサ１３の後端部（図の左側）に、圧接方向である上下方向に沿ってガイド突起２０が設けられている。このガイド突起２０は、前記絶縁ハウジング８の、図６において示す内壁面８ｃ，８ｄの一部に摺接してこのスペーサ１３の上下移動のガイドとなるものである。
【００３１】
更に、図１３において、スペーサ１３の先端部（図の右側）に、下側に傾斜して突出した弾性脚部２１，２２が設けられている。この弾性脚部２１，２２は、図１４乃至図１６に示すように、先端壁面２３と左右壁面２４，２５で囲まれた空間部において、前記左右壁面２４，２５から下側に傾斜されて延設されたものである。
【００３２】
また、図１４と図１６に示すように、スペーサ１３の上下方向に貫通させた、雌コンタクトの先端部９ｂを保護し、かつ、圧接時の倒れを防止するための、ガイド孔２６が４箇所に千鳥配置で設けられている。このガイド孔２６の各々に前記雌コンタクト９，９ｄの先端部９ｂが挿通されることになる。
【００３３】
以上のようにして形成した、ケーブルカバー６と絶縁ハウジング８と雌コンタクト９，９ｄとスペーサ１３を組立てる方法について説明する。図１７乃至図２１に示すように、まず、絶縁ハウジング８の先端部側から圧接用の雌コンタクト９，９ｄを搬入し、絶縁ハウジング８の後端部におけるコンタクト部１５の各貫通孔１５ａに雌コンタクトの後端部９ａを差し込む。
【００３４】
次に、絶縁ハウジング８にスペーサ１３を装着するには、例えば、図２１において、該絶縁ハウジング８に千鳥配置にして固定された前記雌コンタクト９，９ｄの先端部９ｂ（４個）の位置に、弾性脚部２１，２２を下に向け、スペーサ１３のガイド孔２６の位置を各々対応させ、図１４において示すスペーサ１３のガイド突起２０を、図６において示す絶縁ハウジング８側のガイド溝２０ａに嵌合させながら、当該絶縁ハウジング８にスペーサ１３を嵌装させる。
【００３５】
そして、スペーサ１３の仮止め突起１８，１８が、図７に示す絶縁ハウジング８の内壁面８ｃ，８ｄに各々当接して外側に押し拡げながら進入し、ガイド溝１２に到って落ち込んで係合される。この状態が、図２１に示すように、絶縁ハウジング８にスペーサ１３を仮止めした状態である。
【００３６】
前記仮止め状態では、スペーサ１３の弾性脚部２１，２２の弾発力で、絶縁ハウジング８の底面から浮き上がった状態となる。そして、スペーサ１３のガイド孔２６を形成する部分が、雌コンタクト９，９ｄの圧接部分である先端部９ｂを各々囲繞しており、これによって、絶縁ハウジング８の納品状態若しくは保管状態において、当該雌コンタクト９，９ｄの圧接用の先端部９ｂがスペーサ１３で保護されることになる。
【００３７】
次に、ケーブルカバー６を絶縁ハウジング８に仮止めする。これには、図３において示したケーブルカバー６の係合部６ａを、図５において示した絶縁ハウジング８の両外壁面８ａ，８ｂの仮止め突起１０に係合させる。この分岐用コネクタ５ａの仮止め状態が、図１７乃至２１に示す状態である。
【００３８】
そして、分岐用コネクタ５ａとして幹線用フラットケーブル１に適用する場合には、図１乃至図２に示すように、幹線用のフラットケーブル１にケーブルカバー６を跨らせ、手で該フラットケーブル１を押し込む１工程により、４箇所の係止突起７，７で係合させて仮止めする。
【００３９】
更に、前記ケーブルカバー６を絶縁ハウジング８に仮止めさせる。これによって、ケーブルカバー６の半円台座６ｂと絶縁ハウジング８側に仮止めされたスペーサ１３の半円台座１６とでフラットケーブル１がその外周形状に沿って挟装される。
【００４０】
前記スペーサ１３は、その弾性脚部２１，２２の弾発力で前記フラットケーブル１をケーブルカバー６の内面側に付勢し、分岐用コネクタ５ａの仮止め状態のフラットケーブル１がガタ付くことなく、しっかりと保持されることになる。
【００４１】
そして、仮止め状態のケーブルカバー６を圧接ペンチ等で押圧する。すると、フラットケーブル１が絶縁ハウジング８側のスペーサ１３を弾性脚部２１，２２の変形に伴う弾性力に抗して押し込み、同時に、スペーサ１３のガイド孔２６から次第に露出する雌コンタクト９の先端部９ｂの二股形状部分が、前記フラットケーブル１の外皮を切断しその芯線を弾性力で挟持する。
【００４２】
更に、押し込まれたケーブルカバー６は、その両側面に設けた係合部６ａが絶縁ハウジング８の突起１１を乗り越えて係合すると、該ケーブルカバー６が絶縁ハウジング８に固定されるとともに、スペーサ１３も図１２乃至図１３に示すロック用突起１９が、図７乃至図８に示す絶縁ハウジング８のガイド溝１４に落ち込んで絶縁ハウジング８にロックされる。
【００４３】
こうして、絶縁ハウジング８にロックされたスペーサ１３は、もはや移動不可能となって、フラットケーブル１をケーブルカバー６側に付勢することなく、その役目を終了する。
こうして、幹線用のフラットケーブル１を仮止めしたケーブルカバー６を、圧接作業によって絶縁ハウジング８にロックした状態が、図２２に示す分岐用コネクタ５ａの状態である。
【００４４】
この分岐用コネクタ５ａに対して、支線用のフラットケーブル３を圧接してある圧接コネクタ２７（図２２中で破線で示す）をコンタクト部１５に接続させる。これによって、幹線用のフラットケーブル１の芯線と、支線用のフラットケーブル３の芯線とが、雌コンタクト９，９ｄと雄コンタクト２７ａを介して電気的に接続される。
【００４５】
こうして、幹線用のフラットケーブル１に対して支線用のフラットケーブル３を分岐させることができる。同様に前記分岐用コネクタ５ａを複数個使用して、幹線用のフラットケーブル１に複数の支線用のフラットケーブル３を分岐させることができるものである。なお、本発明に係るコネクタは、前記支線用フラットケーブルに電気的に接続する場合のみならず、例えば、プリント基板上に実装された各種コネクタ、電気・電子機器の各接続用端子としてのコネクタ等におけるコンタクトと電気的接続を図る場合等、汎用的に使用されるものである。
【００４６】
本発明に係る、例えば上記分岐用コネクタ５ａで説明したような、ケーブルを仮止めして圧接するタイプのコネクタを使用することで、フラットケーブル１をケーブルカバー６に仮止めさせる作業が、押し込むだけの１工程となって、作業者の作業負担が軽減されることになる。
【００４７】
また、ケーブルカバー６に仮止めされたフラットケーブル１を絶縁ハウジング８に圧接して固定する工程中で、スペーサ１３による弾発力が常に該フラットケーブル１に加わりガタ付きを防止するとともに、雌コンタクト９，９ｄの圧接用の先端部９ｂが圧接時に倒れるのを防止してスムーズな圧接作業を維持するものである。更に、前記絶縁ハウジング８とケーブルカバー６との仮止め状態で、製品として納品することや部品として保管することができる。
【００４８】
【発明の効果】
以上説明したように、本発明に係るコネクタは、フラットケーブルを仮止めするケーブルカバーと、相手方のコネクタのコンタクトがコンタクト後端部に接続される共にコンタクト先端部に前記フラットケーブルが圧接されるコンタクトを有して前記ケーブルカバーと合体する絶縁ハウジングと、からなるコネクタであって、前記ケーブルカバーにおけるのフラットケーブルとの当接面の一部に、該フラットケーブルの側部を弾性的に係止する係止突起を設けるので、ケーブルカバーにフラットケーブルを仮止めする作業工程が押し込むだけの１工程となり、作業負担が軽減され作業工数の短縮となると言う優れた効果を奏する。
【００４９】
本発明に係るコネクタは、フラットケーブルを仮止めするケーブルカバーと、相手方のコネクタのコンタクトがコンタクト後端部に接続される共にコンタクト先端部に前記フラットケーブルが圧接されるコンタクトを有して前記ケーブルカバーと合体する絶縁ハウジングとからなるコネクタにおいて、前記絶縁ハウジングの中空内部に装着され圧接方向である上下方向に移動自在なスペーサが設けられており、前記スペーサには、当該スペーサの左右壁面から下側に傾斜されて延設されたもので、前記絶縁ハウジングにこのスペーサを仮止めした状態で、絶縁ハウジングの底面から該スペーサが浮き上がった状態となり前記フラットケーブルを前記ケーブルカバーの内面側に弾発力で付勢してガタつきなく保持する弾性脚部が設けられているので、フラットケーブルのガタ付が防止されるとともに、コンタクト先端部も保護されて、コネクタが高品質に維持されると言う優れた効果を奏する。
【００５０】
また、前記絶縁ハウジングに設けたスペーサには、ケーブルカバーを前記絶縁ハウジングに仮止めした際に、コンタクト先端部を該スペーサの一部で出没自在に囲繞して保護するガイド孔が設けられているので、コンタクト先端部が露出せずに保護されると共に、圧接時にはガイド孔から出現して圧接作業が行われ、コンタクト先端部の倒れも防止されてスムーズな圧接作業となると言う優れた効果を奏する。
【００５１】
更に、前記絶縁ハウジングに設けたスペーサには、該絶縁ハウジングとケーブルカバーとを合体させた時に、前記絶縁ハウジングの内壁面と当該スペーサの外壁面とに、当該スペーサをロックするロック手段が設けられているので、ケーブルカバーを絶縁ハウジングに固定させた後は、スペーサがケーブルカバーを固定解除させる方向に弾発力を発揮しないようにロックされて、安定した状態のコネクタとなると言う優れた効果を奏する。
【図面の簡単な説明】
【図１】本発明のコネクタに係るケーブルカバーの縦断面図である。
【図２】同本発明のコネクタに係るケーブルカバーに幹線用のフラットケーブルを仮止めする様子を示す説明図である。
【図３】同本発明のコネクタに係るケーブルカバーの側面図である。
【図４】同本発明のコネクタに係るケーブルカバーの、図３のＡ−Ａ線に沿った縦断面図である。
【図５】同本発明のコネクタに係る絶縁ハウジングの側面図である。
【図６】  同本発明のコネクタに係る絶縁ハウジングの平面図である。
【図７】図６のＢ−Ｂ線に沿った縦断面図である。
【図８】図６のＣ−Ｃ線に沿った縦断面図である。
【図９】同本発明のコネクタに係る絶縁ハウジングの一部詳細縦断面図である。
【図１０】同本発明のコネクタに係る絶縁ハウジングに取り付けられる２種類の雌コンタクトのうち、その一の展開状態の平面図である。
【図１１】同図１０で示した雌コンタクトの正面図である。
【図１２】同本発明のコネクタに係る絶縁ハウジングのスペーサの正面図である。
【図１３】同本発明のコネクタに係る絶縁ハウジングのスペーサの側面図である。
【図１４】同本発明のコネクタに係る絶縁ハウジングのスペーサの平面図である。
【図１５】図１４におけるＤ−Ｄ線に沿った断面図である。
【図１６】図１４におけるＥ−Ｅ線に沿った断面図である。
【図１７】本発明に係るコネクタの、絶縁ハウジングとケーブルカバーとを仮止めした状態の側面図である。
【図１８】同本発明に係るコネクタの、絶縁ハウジングとケーブルカバーとを仮止めした状態の背面図である。
【図１９】同本発明に係るコネクタの、絶縁ハウジングとケーブルカバーとを仮止めした状態の正面図である。
【図２０】同本発明に係るコネクタの、絶縁ハウジングとケーブルカバーとを仮止めした状態の底面図である。
【図２１】図１８におけるＦ−Ｆ線に沿った断面図である。
【図２２】本発明に係るコネクタの使用状態を示す説明用縦断面図である。
【図２３】従来例に係るコネクタを使用した状態の概略構成図である。
【図２４】同従来例に係るコネクタの分解説明図である。
【図２５】同従来例に係る分岐用コネクタにおいて、幹線用のフラットケーブルを仮止めする様子を示す説明図である。
【符号の説明】
１  幹線用フラットケーブル、
２，６  ケーブルカバー、
２ａ  仮止め部、
２ｃ  蓋、
２ｄ  係止部、
３  支線用フラットケーブル、
４  絶縁ハウジング、
５  分岐用コネクタ、
６  ケーブルカバー、
６ａ  係合部、
６ｂ  半円台座、
７  係止突起、
８  絶縁ハウジング、
８ａ，８ｂ  外壁面、
８ｃ，８ｄ  内壁面、
９，９ｄ  雌コンタクト、
９ａ  後端部、
９ｂ  先端部、
９ｃ  ガイド片、
１０  仮止め突起、
１１  突起、
１２，１４  ガイド溝、
１３  スペーサ、
１５  コンタクト部、
１５ａ  貫通孔、
１５ｂ  係合突起、
１６  半円台座、
１７  突起、
１８  仮止め突起、
１９  ロック用突起、
２０  ガイド突起、
２１，２２  弾性脚部、
２３  先端壁面、
２４，２５  左右壁面、
２６  ガイド孔、
２７  圧接コネクタ、
２７ａ  雄コンタクト。
【図１】
0003636808.tif 000002
【図２】
0003636808.tif 000003
【図３】
0003636808.tif 000004
【図４】
0003636808.tif 000005
【図５】
0003636808.tif 000006
【図６】
0003636808.tif 000007
【図７】
0003636808.tif 000008
【図８】
0003636808.tif 000009
【図９】
0003636808.tif 000010
【図１０】
0003636808.tif 000011
【図１１】
0003636808.tif 000012
【図１２】
0003636808.tif 000013
【図１３】
0003636808.tif 000014
【図１４】
0003636808.tif 000015
【図１５】
0003636808.tif 000016
【図１６】
0003636808.tif 000017
【図１７】
0003636808.tif 000018
【図１８】
0003636808.tif 000019
【図１９】
0003636808.tif 000020
【図２０】
0003636808.tif 000021
【図２１】
0003636808.tif 000022
【図２２】
0003636808.tif 000023
【図２３】
0003636808.tif 000024
【図２４】
0003636808.tif 000025
【図２５】
0003636808.tif 000026